(57)【要約】【課題】対象構造物への外部環境の影響を調整しつつ当該対象構造物の意匠性を向上させる事が可能となる装飾構造、及び装飾方法を提供すること。【解決手段】建築物９１を装飾する装飾構造１であって、建築物９１への外部環境の影響（例えば、日射の影響、あるいは、風雨の影響等）を調整する装飾構造１であり、建築物９１に設けられている支持機構１１と、支持機構１１を基準に建築物９１に取り付けられる造形物１２であって、建築物９１への外部環境の影響を調整して装飾する造形物１２と、を備え、建築物９１に対する造形物１２の位置は変更可能であり、また、造形物１２は、支持機構１１に支持されて建築物９１に設けられており、また、造形物１２は、紐状体にて形成されている。【選択図】図２
2020002762.tif 000002
【特許請求の範囲】
【請求項１】
少なくとも建築物又は工作物を含む対象構造物を装飾する装飾構造であって、前記対象構造物への外部環境の影響を調整する前記装飾構造であり、
前記対象構造物に設けられている基準手段と、
前記基準手段を基準に前記対象構造物に取り付けられる造形手段であって、前記対象構造物への外部環境の影響を調整して前記対象構造物を装飾する前記造形手段と、を備え、
前記対象構造物に対する前記造形手段の位置は変更可能である、
装飾構造。
【請求項２】
前記造形手段は、前記基準手段に支持されて前記対象構造物に設けられている、
請求項１に記載の装飾構造。
【請求項３】
前記基準手段は、前記対象構造物に対して移動可能となっている、
請求項２に記載の装飾構造。
【請求項４】
前記造形手段は、前記基準手段を基準にして前記対象構造物に直接的に設けられている、
請求項１に記載の装飾構造。
【請求項５】
前記造形手段は、紐状体を含んでいる、
請求項１から４の何れか一項に記載の装飾構造。
【請求項６】
前記造形手段は、パネル体を含んでいる、
請求項１から４の何れか一項に記載の装飾構造。
【請求項７】
前記造形手段は、前記対象構造物に取り付けられる第１造形物質を出力する第１装飾用装置を含んでいる、
請求項１から４の何れか一項に記載の装飾構造。
【請求項８】
前記造形手段は、前記第１造形物質を含んでいる、
請求項７に記載の装飾構造。
【請求項９】
前記造形手段は、前記対象構造物の周囲に出力される第２造形物質を出力する第２装飾用装置を含んでいる、
請求項１から４の何れか一項に記載の装飾構造。
【請求項１０】
前記第２造形物質は、液体を含んでいる、
請求項９に記載の装飾構造。
【請求項１１】
少なくとも建築物又は工作物を含む対象構造物への外部環境の影響を調整して装飾する装飾方法であって、
前記対象構造物に設けられている基準手段を基準に前記対象構造物に造形手段を取り付けるステップであって、前記対象構造物への外部環境の影響を調整して前記対象構造物を装飾する前記造形手段を取り付けるステップと、
前記対象構造物に対する前記造形手段の位置を変更するステップと、
を含む装飾方法。
【請求項１２】
前記造形手段を取り付けるステップは、装飾用装置を用いて前記造形手段を前記対象構造物に取り付けるステップ、を含む、
請求項１１に記載の装飾方法。
【請求項１３】
前記造形手段を取り付けるステップは、前記基準手段を基準に前記対象構造物の装飾面に平行な方向又は当該装飾面に垂直な方向に、前記装飾用装置を移動させることにより、前記造形手段を前記対象構造物に取り付けるステップ、を含む、
請求項１２に記載の装飾方法。
【請求項１４】
前記造形手段を取り付けるステップは、前記装飾用装置として三次元プリンタを用いて前記造形手段を前記対象構造物に取り付けるステップ、を含む、
請求項１２又は１３に記載の装飾方法。
【請求項１５】
前記造形手段を取り付けるステップは、前記外部環境に関連する検出対象を検出し、検出された検出対象に基づいて、前記対象構造物に前記造形手段を取り付けるステップ、を含む、
請求項１１から１４の何れか一項に記載の装飾方法。
【請求項１６】
前記造形手段の位置を変更するステップは、前記外部環境に関連する検出対象を検出し、検出された検出対象に基づいて、前記造形手段の位置を変更するステップ、を含む、
請求項１１から１５の何れか一項に記載の装飾方法。
【発明の詳細な説明】
【技術分野】
【０００１】
本発明は、装飾構造、及び装飾方法に関する。
【背景技術】
【０００２】
従来、ガラス開口部を有する建築物においては、ガラス開口部を介して内部へ入り込む日光の日射量が季節の変化に応じて増加した場合、室内居住者がまぶしさを感じたり、あるいは、室温が上昇して過ごし難くなったりすることがあった。
【０００３】
そこで、室内に入り込む日射量を減少させるための技術として、例えば、特許文献１の日射調整体が提案されていた。この日射調整体は、日光の少なくとも一部を遮ることにより、日射量を減少させていた。
【先行技術文献】
【特許文献】
【０００４】
【特許文献１】特開２００６−１１１６７号公報
【発明の概要】
【発明が解決しようとする課題】
【０００５】
しかしながら、特許文献１の日射調整体は、建築物の一部（例えば、ガラス開口部である窓等）に固定されて用いられていたので、日射調整体自体が設けられていることにより建築物の外観に対する違和感を生じさせ、意匠性が低下する可能性があった。また、この場合、日射調整体に装飾を施したとしても、当該日射調整体は１つの場所に固定されて用いられているので、建築物の外観が単調となり、意匠性を向上させる効果を得ることが困難であった。
【０００６】
一方、建築物の意匠性を向上させる技術としては、建築物の外壁を交換する技術が提案されていたが、この技術においては、窓を介して建築物へ入り込む日射量を調整することが困難であった。
【０００７】
また、建築物への日射量を調整しつつ意匠性を向上させる技術としては、例えば、建築物の外皮等にて植物を生育して当該植物にて日射量を調整する技術も提案されていたが、この技術においては、日射量の調整量は植物の生育に依存していたために、日射量をユーザの意図に沿って適切に調整することが困難であった。
【０００８】
本発明は上記事実に鑑み、対象構造物への外部環境の影響を調整しつつ当該対象構造物の意匠性を向上させる事が可能となる装飾構造、及び装飾方法を提供することを目的とする。
【課題を解決するための手段】
【０００９】
上述した課題を解決し、目的を達成するために、請求項１に記載の装飾構造は、少なくとも建築物又は工作物を含む対象構造物を装飾する装飾構造であって、前記対象構造物への外部環境の影響を調整する前記装飾構造であり、前記対象構造物に設けられている基準手段と、前記基準手段を基準に前記対象構造物に取り付けられる造形手段であって、前記対象構造物への外部環境の影響を調整して前記対象構造物を装飾する前記造形手段と、を備え、前記対象構造物に対する前記造形手段の位置は変更可能である。
【００１０】
請求項２に記載の装飾構造は、請求項１に記載の装飾構造において、前記造形手段は、前記基準手段に支持されて前記対象構造物に設けられている。
【００１１】
請求項３に記載の装飾構造は、請求項２に記載の装飾構造において、前記基準手段は、前記対象構造物に対して移動可能となっている。
【００１２】
請求項４に記載の装飾構造は、請求項１に記載の装飾構造において、前記造形手段は、前記基準手段を基準にして前記対象構造物に直接的に設けられている。
【００１３】
請求項５に記載の装飾構造は、請求項１から４の何れか一項に記載の装飾構造において、前記造形手段は、紐状体を含んでいる。
【００１４】
請求項６に記載の装飾構造は、請求項１から４の何れか一項に記載の装飾構造において、前記造形手段は、パネル体を含んでいる。
【００１５】
請求項７に記載の装飾構造は、請求項１から４の何れか一項に記載の装飾構造において、前記造形手段は、前記対象構造物に取り付けられる第１造形物質を出力する第１装飾用装置を含んでいる。
【００１６】
請求項８に記載の装飾構造は、請求項７に記載の装飾構造において、前記造形手段は、前記第１造形物質を含んでいる。
【００１７】
請求項９に記載の装飾構造は、請求項１から４の何れか一項に記載の装飾構造において、前記造形手段は、前記対象構造物の周囲に出力される第２造形物質を出力する第２装飾用装置を含んでいる。
【００１８】
請求項１０に記載の装飾構造は、請求項９に記載の装飾構造において、前記第２造形物質は、液体を含んでいる。
【００１９】
請求項１１に記載の装飾方法は、少なくとも建築物又は工作物を含む対象構造物への外部環境の影響を調整して装飾する装飾方法であって、前記対象構造物に設けられている基準手段を基準に前記対象構造物に造形手段を取り付けるステップであって、前記対象構造物への外部環境の影響を調整して前記対象構造物を装飾する前記造形手段を取り付けるステップと、前記対象構造物に対する前記造形手段の位置を変更するステップと、を含む。
【００２０】
請求項１２に記載の装飾方法は、請求項１１に記載の装飾方法において、前記造形手段を取り付けるステップは、装飾用装置を用いて前記造形手段を前記対象構造物に取り付けるステップ、を含む。
【００２１】
請求項１３に記載の装飾方法は、請求項１２に記載の装飾方法において、前記造形手段を取り付けるステップは、前記基準手段を基準に前記対象構造物の装飾面に平行な方向又は当該装飾面に垂直な方向に、前記装飾用装置を移動させることにより、前記造形手段を前記対象構造物に取り付けるステップ、を含む。
【００２２】
請求項１４に記載の装飾方法は、請求項１２又は１３に記載の装飾方法において、前記造形手段を取り付けるステップは、前記装飾用装置として三次元プリンタを用いて前記造形手段を前記対象構造物に取り付けるステップ、を含む。
【００２３】
請求項１５に記載の装飾方法は、請求項１１から１４の何れか一項に記載の装飾方法において、前記造形手段を取り付けるステップは、前記外部環境に関連する検出対象を検出し、検出された検出対象に基づいて、前記対象構造物に前記造形手段を取り付けるステップ、を含む。
【００２４】
請求項１６に記載の装飾方法は、請求項１１から１５の何れか一項に記載の装飾方法において、前記造形手段の位置を変更するステップは、前記外部環境に関連する検出対象を検出し、検出された検出対象に基づいて、前記造形手段の位置を変更するステップ、を含む。
【発明の効果】
【００２５】
請求項１に記載の装飾構造によれば、対象構造物への外部環境の影響を調整して装飾する造形手段の位置が変更可能であることにより、例えば、造形手段にて外部環境の影響（例えば、日射や風雨等の任意の影響）を調整することができ、また、造形手段の取り付け位置を変更させることにより興味を抱かせることができるので、対象構造物への外部環境の影響を調整しつつ当該対象構造物の意匠性を向上させる事が可能となる。
【００２６】
請求項２に記載の装飾構造によれば、造形手段が基準手段に支持されていることにより、例えば、造形手段を強固に取り付けることができるので、地震等で造形手段が外れることを防止することができ、安全性を向上させる事が可能となる。また、例えば、対象構造物自体を汚損することなく造形手段を取り付ける事が可能となる。
【００２７】
請求項３に記載の装飾構造によれば、基準手段が対象構造物に対して移動可能となっていることにより、例えば、基準手段を動かすことにより造形手段を対象構造物に対して動かすことができるので、対象構造物の外観を変化させることにより興味を抱かせることができ、対象構造物の意匠性を向上させる事が可能となる。
【００２８】
請求項４に記載の装飾構造によれば、造形手段が対象構造物に直接的に設けられていることにより、例えば、造形手段と対象構造物との相互間の一体感を演出することができるので、意匠性を更に向上させる事が可能となる。
【００２９】
請求項５に記載の装飾構造によれば、造形手段が紐状体を含んでいることにより、例えば、紐状体を基準手段に引っ掛けて編み込むことにより、造形手段を任意の形状にすることができるので、意匠性を更に向上させる事が可能となる。また、例えば、（取り付け位置を変更するために）造形手段を一度回収する場合に、紐状体を巻き取って容易に回収すること等が可能となるので、装飾構造の施工性を向上させる事が可能となる。
【００３０】
請求項６に記載の装飾構造によれば、造形手段がパネル体を含んでいることにより、例えば、造形手段の取り扱いが容易になるので、装飾構造の施工性を向上させる事が可能となる。
【００３１】
請求項７に記載の装飾構造によれば、造形手段が対象構造物に取り付けられる第１造形物質を出力する第１装飾用装置を含んでいることにより、例えば、第１装飾用装置を用いて外部環境の影響の調整及び装飾を自動的に行うことができるので、利便性を向上させる事が可能となる。また、例えば、ユーザが変えたいと思った時にすぐ造形手段の位置等の変更ができるので、ユーザの意図に沿った装飾を迅速に施す事が可能となる。
【００３２】
請求項８に記載の装飾構造によれば、造形手段が第１造形物質を含んでいることにより、例えば、対象構造物に対して第１造形物質を固定して外部環境の影響の調整及び装飾を持続的に行う事が可能となる。
【００３３】
請求項９に記載の装飾構造によれば、造形手段は対象構造物の周囲に出力される第２造形物質を出力する第２装飾用装置を含んでいることにより、例えば、第２装飾用装置を用いて外部環境の影響の調整及び装飾を自動的に行うことができるので、利便性を向上させる事が可能となる。また、例えば、第２造形物質が対象構造物の周囲に出力され、第２造形物質が対象構造物に固定されるわけではないので、当該第２造形物質を対象構造物から取り除く作業が不要となり、メンテナンス効率を向上させる事が可能となる。また、例えば、第２造形物質を出力した直後から、装飾に関する効果又は外部環境の影響を調整することに関する効果をもたらすことが可能となるので、迅速に当該効果をもたらすことが可能となる。
【００３４】
請求項１０に記載の装飾構造によれば、第２造形物質は液体を含んでいることにより、例えば、第２造形物質の出力形態（例えば、液体である第２造形物質の出力タイミング、あるいは、当該第２造形物質の出力範囲等）を任意に変更することができるので、第２装飾用装置による外部環境の影響の調整及び装飾の効果を確実に発揮させる事が可能となる。また、例えば、第２造形物質としての液体（一例としては、水等）を吹き付けた直後から、装飾に関する効果又は外部環境の影響を調整することに関する効果をもたらすことが可能となるので、迅速に当該効果をもたらすことが可能となる。
【００３５】
請求項１１に記載の装飾方法によれば、対象構造物への外部環境の影響を調整して装飾する造形手段の位置が変更可能であることにより、例えば、造形手段にて外部環境の影響（例えば、日射や風雨等の任意の影響）を調整することができ、また、造形手段の取り付け位置を変更させることにより興味を抱かせることができるので、対象構造物への外部環境の影響を調整しつつ当該対象構造物の意匠性を向上させる事が可能となる。
【００３６】
請求項１２に記載の装飾方法によれば、装飾用装置を用いて造形手段を対象構造物に取り付けることにより、例えば、装飾用装置を用いて外部環境の影響の調整及び装飾を自動的に行うことができるので、利便性を向上させる事が可能となる。また、例えば、ユーザが変えたいと思った時にすぐ造形手段の位置等の変更ができるので、ユーザの意図に沿った装飾を迅速に施す事が可能となる。
【００３７】
請求項１３に記載の装飾方法によれば、基準手段を基準に対象構造物の装飾面に平行な方向又は当該装飾面に垂直な方向に、装飾用装置を移動させることにより、造形手段を対象構造物に取り付けることにより、例えば、造形手段の厚み又は装飾面に対して垂直な方向の造形手段の取り付け位置を調整することにより対象構造物に対して凹凸を形成することができ、対象構造物の意匠性を向上させる事が可能となる。
【００３８】
請求項１４に記載の装飾方法によれば、三次元プリンタを用いて造形手段を取り付けることにより、例えば、任意の形状の造形手段を任意の位置に設けることができるので、ユーザの意図に沿った装飾を施す事が可能となる。また、例えば、三次元プリンタを用いて造形手段を取り付ける過程において、対象構造物の外観を時間の経過に従って連続的に変化させることにより興味を抱かせることができ、対象構造物の意匠性を向上させる事が可能となる。
【００３９】
請求項１５に記載の装飾方法によれば、外部環境に関連する検出対象を検出し、検出された検出対象に基づいて、対象構造物に造形手段を取り付けることにより、例えば、外部環境による影響（例えば、日射や風雨等の任意の影響）を把握した上で造形手段を取り付けることができるので、外部環境による影響を適切に調整する事が可能となる。
【００４０】
請求項１６に記載の装飾方法によれば、外部環境に関連する検出対象を検出し、検出された検出対象に基づいて、造形手段の位置を変更することにより、例えば、外部環境による影響（例えば、日射や風雨等の任意の影響）を把握した上で造形手段の位置を変更することができるので、外部環境による影響を適切に調整する事が可能となる。
【図面の簡単な説明】
【００４１】
【図１】実施の形態１に係る装飾構造を示す図である。
【図２】実施の形態２に係る装飾構造を示す図である。
【図３】実施の形態３に係る装飾構造を示す図である。
【図４】造形物を示す図である。
【図５】実施の形態４に係る装飾構造を示す図である。
【図６】実施の形態５に係る装飾構造を示す図である。
【図７】相互に取り外された状態の第１造形物と第２造形物を示す側面図である。
【図８】実施の形態６に係る装飾構造を示す図である。
【図９】実施の形態７に係る装飾構造を示す図である。
【図１０】実施の形態８に係る装飾構造を示す図である。
【図１１】装飾構造を示す図である。
【発明を実施するための形態】
【００４２】
以下に添付図面を参照して、この発明に係る装飾構造、及び装飾方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００４３】
〔Ｉ〕実施の形態の基本的概念
まず、実施の形態の基本的概念について説明する。実施の形態は、概略的に、装飾構造、及び装飾方法に関する。
【００４４】
ここで、「装飾構造」とは、少なくとも建築物又は工作物を含む対象構造物を装飾する構造であり、具体的には、対象構造物への外部環境の影響を調整する構造であり、例えば、対象構造物の外面（外皮）又は内面に設けられる構造であって、着脱可能な着せ替え式のファザード構造等を含む概念であり、一例としては、基準手段、及び造形手段を備える。
【００４５】
また、「対象構造物」とは、装飾構造によって装飾される構造であり、具体的には、少なくとも建築物又は工作物等を含む概念である。「建築物」とは、土地に定着した建物であり、例えば、屋根及び壁を備える物等を含む概念である。「工作物」とは、土地に定着した建物以外の物であって、例えば、バス停等の建物、標識、橋梁、及び柵等を含む概念である。
【００４６】
また、「外部環境の影響」とは、装飾構造の外部の環境による装飾構造に対する影響であり、例えば、日射の影響、あるいは、風雨の影響等を含む概念である。「外部環境の影響を調整する」とは、外部環境の影響を変化させること等を含む概念であり、例えば、日射量を調整すること、及び風雨の影響を調整すること等を含む概念である。
【００４７】
また、「基準手段」とは、対象構造物に設けられている手段であり、例えば、対象構造物に対して移動可能となっているもの、あるいは、対象構造物に固定されているもの等を含む概念である。なお、「対象構造物に対して移動可能」とは、基準手段がユーザの操作により移動させられること、あるいは、基準手段が自動的に移動すること等を含む概念である。「移動」とは、位置を変更させること等を含む概念であり、例えば、対象構造物に対して近づく方向又は遠ざかる方向に対して位置を変更させること、あるいは、対象構造物に沿って位置を変更させること等を含む概念である。
【００４８】
また、「造形手段」とは、基準手段を基準に対象構造物に取り付けられる手段であって、対象構造物への外部環境の影響を調整して対象構造物を装飾する手段であり、具体的には、対象構造物に対する当該造形手段の位置が変更可能となっているものであり、例えば、基準手段に支持されて対象構造物に設けられているもの、また、基準手段を基準にして対象構造物に直接的に設けられているもの、また、紐状体にて形成されているもの又は当該紐状体自体、また、パネル体にて形成されているもの又は当該パネル体自体、また、三次元プリンタを用いて取り付けられるもの等を含む概念である。また、「造形手段」とは、例えば、第１装飾用装置、第１造形物質、第２装飾用装置等を含む概念である。なお、第１装飾用装置、第１造形物質、第２装飾用装置については、後述する。
【００４９】
また、「紐状体」とは、紐状の線材であり、例えば、基準手段に対して当該紐状体を編み込むことにより造形手段として構成されるもの等を含む概念である。「パネル体」とは、例えば、全体して所定形状（例えば、矩形、円形等の任意の形状）の平板部材である。「三次元プリンタを用いて取り付けられるもの」とは、例えば、任意の形状に形成することができるものであり、例えば、樹脂材等を含む概念である。
【００５０】
また、「装飾方法」とは、少なくとも建築物又は工作物を含む対象構造物への外部環境の影響を調整して対象構造物を装飾する方法であり、例えば、造形手段を取り付けるステップ、及び対象構造物に対する造形手段の位置を変更するステップを含む。
【００５１】
また、「造形手段を取り付けるステップ」とは、対象構造物に設けられている基準手段を基準に対象構造物に造形手段を取り付けるステップであり、具体的には、対象構造物への外部環境の影響を調整して対象構造物を装飾する造形手段を取り付けるステップであり、例えば、装飾用装置を用いて造形手段を対象構造物に取り付けるステップ、装飾用装置として三次元プリンタを用いて造形手段を対象構造物に取り付けるステップ、基準手段を基準に対象構造物の装飾面に平行な方向又は当該装飾面に垂直な方向に、装飾用装置を移動させることにより、造形手段を対象構造物に取り付けるステップ、あるいは、外部環境に関連する検出対象を検出し、検出された検出対象に基づいて、対象構造物に造形手段を取り付けるステップ等を含む概念である。なお、「装飾用装置を移動させる」とは、例えば、装飾用装置全体を移動させること、あるいは、装飾用装置の少なくとも一部（一例としては、部品又は要素）を移動させること等を含む概念である。
【００５２】
また、「装飾用装置」とは、対象構造物を少なくとも装飾するための装置であり、具体的には、造形手段を取り付けることにより当該造形手段にて対象構造物を少なくとも装飾する装置、造形手段以外の任意の対象を用いて少なくとも装飾する装置、又は、自身の外形を用いて少なくとも装飾する装置等を含む概念であり、例えば、第１装飾用装置、及び第２装飾用装置等を含む概念である。
【００５３】
また、「第１装飾用装置」とは、対象構造物に取り付けられる第１造形物質を出力する手段であって、任意の構成を有する装置であり、また、「第２装飾用装置」とは、対象構造物の周囲に第２造形物質を出力する手段あって、任意の構成を有する装置である。なお、これらの第１及び第２装飾用装置は、対象構造物への外部環境の影響を調整して対象構造物を装飾するように構成することにより、前述の造形手段としても機能し得るものである。
【００５４】
また、「第１造形物質」とは、第１装飾用装置にて対象構造物に取り付けられる物質であり、例えば、樹脂材（一例としては、三次元プリンタから吐出される樹脂材）を含む任意の物質等を含む概念である。「第２造形物質」とは、対象構造物の周囲に出力される物質であり、例えば、前述の造形手段と共に、対象構造物への外部環境の影響の調整、又は、対象構造物の装飾を行う物質であり、一例としては、水（流水又はミストを含む）の如き液体、シャボン玉、雲、及び煙等を含む概念である。
【００５５】
また、「装飾面」とは、対象構造物における造形手段にて装飾される面であり、「外部環境に関連する検出対象」とは、前述の外部環境の影響に関連する対象であり、例えば、任意の物理量であり、一例としては、温度、湿度、風速、日射透過率、日射量、太陽の向き、太陽高度等を含む概念である。
【００５６】
また、「対象構造物に対する造形手段の位置を変更するステップ」とは、造形手段の位置を変更するステップであり、例えば、既に取り付けられている造形手段の取り付け位置を変更するステップ、あるいは、既に取りつけられている造形手段のうちの一部を取り外すことにより、造形手段全体の位置を変更するステップ、あるいは、未だ造形手段が取り付けられていない位置に新たに造形手段を取り付けることにより、造形手段全体の位置を変更するステップ等を含む概念である。また、「対象構造物に対する造形手段の位置を変更するステップ」とは、例えば、外部環境に関連する検出対象を検出し、検出された検出対象に基づいて、造形手段の位置を変更するステップ等を含む概念である。
【００５７】
そして、以下に示す各実施の形態では、「対象構造物」が建築物（建物）である場合において、装飾構造を当該建築物の外面（外皮）に設ける場合を例示して説明する。なお、建築物の特徴的な構成以外の構成は、公知の構成（例えば、窓等）を含む任意の構成を適用することができるので、特徴的な構成についてのみ図示して説明する。
【００５８】
〔ＩＩ〕各実施の形態の具体的内容
次に、各実施の形態の具体的内容について説明する。
【００５９】
（実施の形態１）
最初に、実施の形態１について説明する。この実施の形態１では、「造形手段」が紐状体にて形成されており、当該「造形手段」が基準手段に支持されて対象構造物に設けられている場合について説明する。
【００６０】
（構成）
まず、本実施の形態に係る装飾構造の構成について説明する。図１は、本実施の形態に係る装飾構造を示す図である。なお、図１（ａ）は装飾構造が設けられている建築物の一部の正面図であり、また、図１（ｂ）は図１（ａ）におけるＡ１−Ａ１矢印の断面図である。なお、図１（ｂ）の建築物９１のハッチングは適宜省略している（他の図も同様とする）。また、建築物９１については、実際には矩形形状を含む任意の形状となっているが、本明細書では、本願の特徴に関連する建築物９１の外面（装飾面）付近の構造を図示して説明する（以下の各実施の形態も同様とする）。
【００６１】
また、以下の説明では、図１に示すＸ―Ｙ―Ｚ方向が互いに直交する方向であり、具体的には、Ｚ方向が垂直方向であり、Ｘ方向及びＹ方向が垂直方向に対して直交する水平方向であるものとして、例えば、＋Ｚ方向を上側と称し、−Ｚ方向を下側と称して説明する（他の図でも同様とする）。また、図１（ｂ）の建築物９１を基準にして、＋Ｘ方向が建築物９１の外側であり、また、−Ｘ方向が建築物９１の内側（内部側）であることとし、当該建築物９１の内側の具体的な構造については、図示を省略して、以下説明する（他の図でも同様とする）。
【００６２】
図１に示すように、装飾構造１は、建築物９１の外面に設けられているものであり、例えば、支持機構１１、及び造形物１２を備える。
【００６３】
（構成−支持機構）
支持機構１１は、前述の基準手段であり、例えば、造形物１２を支持するものである。この支持機構１１の具体的な種類や構成は任意であるが、例えば、建築物９１に固定されている部材であり、また、建築物９１の外面に沿って相互に等間隔に設けられている複数のものであり、また、当該建築物９１の外面から突出しているものであり、また、先端部が球形となっているものであり、また、任意の材料（金属又は樹脂等）にて形成されているものである。
【００６４】
（構成−造形物）
造形物１２は、前述の造形手段である。この造形物１２の具体的な種類や構成は任意であるが、例えば、支持機構１１に支持されて建築物９１に設けられるものであり、また、紐状体を支持機構１１に対して編み込むことにより形成されるものであり、また、任意の材料（天然繊維又は化学繊維等）にて形成されているものである。
【００６５】
（施工手法）
次に、このようにして構成された装飾構造１の施工手法について説明する。なお、装飾構造１の具体的な施工手法は任意であるが、例えば、支持機構１１を取り付けるステップ、造形物１２を取り付けるステップ、及び造形物１２の位置を変更するステップを行う場合を例示して説明する。なお、これらの各ステップを行う実行主体は任意であるが、例えば、支持機構１１を取り付けるステップについては作業員が手作業に行い、造形物１２を取り付けるステップ、及び造形物１２の位置を変更するステップについては、不図示の装飾装置が行うこととする。
【００６６】
ここで、「装飾装置」は、少なくとも、造形物１２を取り付けるステップ、及び造形物１２の位置を変更するステップを行う装置であり、例えば、フラッシュメモリ等により構成されている記録部、及びＣＰＵ等により構成されている制御部を備えている装置である。また、「装飾装置」とは、例えば、建築物９１の外面に沿って設けられるレール上を垂直方向（Ｚ軸方向）又は水平方向（Ｙ軸方向）に移動可能な装置（以下、垂直水平移動型装飾装置）、建築物９１の周辺を飛行して移動する装置（例えば、ドローン等）（以下、飛行型装飾装置）、又は、建築物９１の外面に沿って設けられる比較的大きなサイズの編機の如き装置（以下、編機型装飾装置）を用いてもよい。そして、これらの装飾装置については、当該装飾装置を自動的に制御する制御プログラム（つまり、造形物１２の取り付け及び位置変更を自動的に行うためのプログラム）が記録部に記録されており、制御部がこの制御プログラムを実行することにより、自動的に動作することとする。なお、他の実施の形態の施工手法についても、特記する場合を除いて同様とする。なお、例えば、ここでの装飾装置が「装飾用装置」に相当する（各実施の形態にて同様である）。
【００６７】
まず、支持機構１１を取り付けるステップにおいては、建築物９１の外面に支持機構１１を取り付ける。具体的には任意であるが、例えば、公知の固定手段（例えば、アンカーボルトを用いる固定手段等）を用いて、建築物９１の外面に支持機構１１を複数固定する。
【００６８】
次に、造形物１２を取り付けるステップにおいては、支持機構１１に対して造形物１２を固定して取り付ける。具体的には任意であるが、例えば、不図示の装飾装置が、造形物１２を形成するための紐状体を操作して、全体として任意の模様（例えば、図１に示す模様等）の造形物１２となるように、当該紐状体を支持機構１１に固定したり又は支持機構１１に固定されている紐状体に固定したりして、編み込むことにより造形物１２を取り付ける。なお、ここでは、例えば、紐状体の一端側及び他端側に紐状体をくり出したり巻き取ったりする装置（例えば、ボビンを備える装置）を設けた上で、不図示の装飾装置の動作に応じて、当該ボビンを備える装置から紐状体をくり出したり巻き取ったりすることにより、当該ステップを実行してもよい（造形物１２の位置を変更するステップも同様とする）。
【００６９】
次に、造形物１２の位置を変更するステップにおいては、造形物１２の位置を移動させる。具体的には任意であるが、例えば、支持機構１１に取り付けられている紐状体を支持機構１１から外してほどいたり、あるいは、他の支持機構１１に紐状体を固定したりして、造形物１２の位置を変更させる。なお、当該ステップを実行する場合、造形物１２の全体の模様を変更せずに当該造形物１２を移動させたり、あるいは、造形物１２の全体の模様を変更して当該造形物１２を移動させたりすることが想定されるが、これらの両方が造形物１２の位置を移動させることに対応する。これにて、施工手法の説明を終了する。
【００７０】
（本実施の形態の効果）
本実施の形態によれば、建築物９１への外部環境の影響を調整して装飾する造形物１２の位置が変更可能であることにより、例えば、造形物１２にて外部環境の影響（例えば、日射や風雨等の任意の影響）を調整することができ、また、造形物１２の取り付け位置を変更させることにより興味を抱かせることができるので、建築物９１への外部環境の影響を調整しつつ当該建築物９１の意匠性を向上させる事が可能となる。
【００７１】
また、造形物１２が支持機構１１に支持されていることにより、例えば、造形物１２を強固に取り付けることができるので、地震等で造形物１２が外れることを防止することができ、安全性を向上させる事が可能となる。また、例えば、建築物９１自体を汚損することなく造形物１２を取り付ける事が可能となる。
【００７２】
また、造形物１２が紐状体にて形成されていることにより、例えば、紐状体を支持機構１１に引っ掛けて編み込むことにより、造形物１２を任意の形状にすることができるので、意匠性を更に向上させることが可能となる。また、例えば、（取り付け位置を変更するために）造形物１２を一度回収する場合に、紐状体を巻き取って容易に回収すること等が可能となるので、装飾構造１の施工性を向上させることが可能となる。
【００７３】
（実施の形態２）
次に、実施の形態２について説明する。この実施の形態２では、「造形手段」が三次元プリンタを用いて取り付けられるものであり、当該「造形手段」が基準手段を基準にして対象構造物に直接的に設けられている場合について説明する。
【００７４】
（構成）
まず、本実施の形態に係る装飾構造の構成について説明する。図２は、本実施の形態に係る装飾構造を示す図である。なお、図２（ａ）は装飾構造が設けられている建築物の一部の正面図であり、また、図２（ｂ）は図２（ａ）におけるＡ２−Ａ２矢印の断面図である。
【００７５】
図２に示すように、装飾構造２は、建築物９２の外面に設けられているものであり、例えば、支持機構２１、及び造形物２２を備える。
【００７６】
（構成−支持機構）
支持機構２１は、前述の基準手段であり、例えば、装飾装置３１を支持するものである。この支持機構２１の具体的な種類や構成は任意であるが、例えば、装飾装置３１が移動する場合するレールとして機能する部材であり、また、建築物９２に固定されているものであり、また、建築物９２の外面に沿って水平方向（Ｙ軸方向）に延在している複数のものであり、また、当該建築物９２の外面に埋め込まれているものであり、また、水平方向（Ｙ軸方向）に沿って延在している凹部２１１が設けられているものであり、また、任意の材料（金属等）にて形成されているものである。
【００７７】
（構成−造形物）
造形物２２は、前述の造形手段である。この造形物２２の具体的な種類や構成は任意であるが、例えば、支持機構２１を基準にして装飾装置３１にて建築物９２に直接的に設けられているものであり、また、任意の材料（樹脂等）にて形成されているものである。
【００７８】
（施工手法）
次に、このようにして構成された装飾構造２の施工手法について説明する。なお、装飾構造２の具体的な施工手法は任意であるが、例えば、支持機構２１を取り付けるステップ、造形物２２を取り付けるステップ、及び造形物２２の位置を変更するステップを行う場合を例示して説明する。なお、これらの各ステップを行う実行主体は任意であるが、例えば、支持機構２１を取り付けるステップについては作業員が手作業に行い、造形物２２を取り付けるステップ、及び造形物２２の位置を変更するステップについては、装飾装置３１が行うこととする。
【００７９】
ここで、装飾装置３１は、少なくとも、造形物２２を取り付けるステップ、及び造形物２２の位置を変更するステップを行う装置であり、具体的には、三次元プリンタ装置であり、例えば、ヘッド部３１１、実施の形態１で説明した不図示の装飾装置と同様な記録部及び制御部を備える。また、装飾装置３１は、例えば、任意の移動駆動機構（例えば、支持機構２１をレールとして移動するための車輪等）を備えており、図２（ｂ）に示すように装飾装置３１の一部が支持機構２１の凹部２１１に係合して支持された状態で、当該支持機構２１に沿って図２（ａ）の水平方向（Ｙ軸方向）に移動するように構成されている。装飾装置３１のヘッド部３１１は、造形物２２を形成するための任意の材料（樹脂材等）を吐出する吐出手段であり、図２（ａ）の装飾装置３１の開口部３１２に設けられており、当該開口部３１２内にて垂直方向（Ｚ軸方向）に移動可能となっている。
【００８０】
まず、支持機構２１を取り付けるステップにおいては、建築物９２の外面に支持機構１１を取り付ける。具体的には任意であるが、例えば、公知の固定手段（例えば、建築物９２の外面を形成するコンクリート打設時に埋め込む手法等）を用いて、建築物９２の外面に支持機構２１を複数固定する。
【００８１】
次に、造形物２２を取り付けるステップにおいては、建築物９２に対して造形物２２を直接的に固定して取り付ける。具体的には任意であるが、例えば、装飾装置３１の制御部が、自己の記録部に記録されているプログラムを実行することにより、装飾装置３１を支持機構２１に沿って図２（ａ）の水平方向（Ｙ軸方向）に移動させ、また、ヘッド部３１１を垂直方向（Ｚ軸方向）に移動させ、また、当該ヘッド部３１１から造形物２２を形成する任意の材料（樹脂材等）を吐出することにより、全体として任意の模様の造形物２２を取り付ける。
【００８２】
次に、造形物２２の位置を変更するステップにおいては、造形物２２の位置を移動させる。具体的には任意であるが、例えば、装飾装置３１に造形物２２を取り除く手段である除去手段として除去具（例えば、造形物２２を削って除去するための刃を備える任意の装置）がヘッド部３１１に設けられていることとし、装飾装置３１の制御部が、自己の記録部に記録されているプログラムを実行することにより、造形物２２を取り付けるステップで説明した場合と同様にして、装飾装置３１及びヘッド部３１１を移動させ、また、ヘッド部３１１の除去具を用いて、建築物９２に取り付けられている造形物２２の少なくとも一部を除去した上で、造形物２２を取り付けるステップで説明した場合と同様にして、当該除去した造形物２２が設けられていた位置とは異なる位置に、造形物２２を取り付けることにより、造形物２２を移動させる。なお、当該ステップを実行する場合、造形物２２の全体の模様を変更せずに当該造形物２２を移動させたり、あるいは、造形物２２の全体の模様を変更して当該造形物２２を移動させたりすることが想定されるが、これらの両方が造形物２２の位置を移動させることに対応する。これにて、施工手法の説明を終了する。
【００８３】
（本実施の形態の効果）
本実施の形態によれば、造形物２２が建築物９２に直接的に設けられていることにより、例えば、造形物２２と建築物９２との相互間の一体感を演出することができるので、意匠性を更に向上させる事が可能となる。
【００８４】
また、造形手段が樹脂材である造形物２２（第１造形物質）を含んでいることにより、例えば、建築物９２に対して第１造形物質を固定して外部環境の影響の調整及び装飾を持続的に行う事が可能となる。
【００８５】
また、三次元プリンタである装飾装置３１を用いて造形手段を取り付けることにより、例えば、任意の形状の造形物２２を任意の位置に設けることができるので、ユーザの意図に沿った装飾を施すことが可能となる。また、例えば、装飾装置３１を用いて造形物２２を取り付ける過程において、建築物９２の外観を時間の経過に従って連続的に変化させることにより興味を抱かせることができ、建築物９２の意匠性を向上させる事が可能となる。
【００８６】
（実施の形態３）
次に、実施の形態３について説明する。この実施の形態３では、「造形手段」がパネル体にて形成されており、当該「造形手段」が基準手段に支持されて対象構造物に設けられている場合について説明する。
【００８７】
（構成）
まず、本実施の形態に係る装飾構造の構成について説明する。図３は、本実施の形態に係る装飾構造を示す図である。なお、図３（ａ）は装飾構造が設けられている建築物の一部の正面図であり、また、図３（ｂ）は図３（ａ）におけるＡ３−Ａ３矢印の断面図である。
【００８８】
図３に示すように、装飾構造４は、建築物９３の外面に設けられているものであり、例えば、支持機構４１、及び造形物４２を備える。
【００８９】
（構成−支持機構）
支持機構４１は、前述の基準手段であり、例えば、造形物４２を支持するものである。この支持機構４１の具体的な種類や構成は任意であるが、例えば、建築物９３に固定されている部材であり、また、建築物９３の外面に沿って相互に等間隔に設けられている複数のものであり、また、当該建築物９３の外面から突出しているものであり、また、任意の材料（金属又は樹脂等）にて形成されているものであり、また、図３（ｂ）に示すように、第１支持部４１１、及び第２支持部４１２を備えるものである。
【００９０】
（構成−支持機構−第１及び第２支持部）
第１支持部４１１は、支持機構４１の一部であり、例えば、建築物９３から突出している部分である。第２支持部４１２は、支持機構４１の他の一部であり、例えば、第１支持部４１１の先端に着脱自在に取り付けられる部分である。なお、第２支持部４１２が第１支持部４１１に取り付けられる具体的な構成は任意であるが、例えば、第２支持部４１２に螺合孔が設けられており、当該螺合孔に第１支持部４１１の先端を螺合することにより取り付けられるように構成されていることとする。
【００９１】
（構成−造形物）
造形物４２は、前述の造形手段である。図４は、造形物を示す図であり、（ａ）は造形物の正面図であり、（ｂ）は造形物の側面図である。この造形物４２の具体的な種類や構成は任意であるが、例えば、図３の支持機構４１に支持されて建築物９３に設けられるものであり、また、パネル体であり、また、任意の材料（金属又は樹脂等）にて形成されているものであり、図４の第１端部４２１、及び第２端部４２２を備えるものである。
【００９２】
（構成−造形物−第１及び第２端部）
第１端部４２１及び第２端部４２２は、造形物４２の端部であり、例えば、図４（ｂ）に示すように本体部４２３よりも薄くなっている部分であり、支持機構４１の第１支持部４１１が挿通される取付孔４２４が設けられている部分である。
【００９３】
（施工手法）
次に、このようにして構成された装飾構造４の施工手法について説明する。なお、装飾構造４の具体的な施工手法は任意であるが、例えば、支持機構４１を取り付けるステップ、造形物４２を取り付けるステップ、及び造形物４２の位置を変更するステップを行う場合を例示して説明する。なお、これらの各ステップを行う実行主体は任意であるが、例えば、支持機構４１を取り付けるステップについては作業員が手作業に行い、造形物４２を取り付けるステップ、及び造形物４２の位置を変更するステップについては、不図示の装飾装置（垂直水平移動型装飾装置、及び飛行型装飾装置）が行うこととする。
【００９４】
まず、支持機構４１を取り付けるステップにおいては、建築物９３の外面に支持機構４１の第１支持部４１１を取り付ける。具体的には任意であるが、例えば、公知の固定手段（例えば、アンカーボルトを用いる固定手段等）を用いて、建築物９３の外面に支持機構４１の第１支持部４１１を複数固定する。
【００９５】
次に、造形物４２を取り付けるステップにおいては、支持機構４１の第１支持部４１１に対して造形物４２を固定して取り付ける。具体的には任意であるが、例えば、不図示の装飾装置の制御部が、自己の記録部に記録されているプログラムを実行することにより、装飾装置が以下の処理を行って固定する（造形物４２の位置を変更するステップも同様である）。まず、装飾装置が、造形物４２を所定位置に運搬した上で、当該造形物４２の取付孔４２４に第１支持部４１１を挿通して仮止めすることにより、複数の造形物４２を所定位置に仮止めし、この後、第１支持部４１１の先端に第２支持部４１２を取り付けることにより、複数の造形物４２を取り付ける。
【００９６】
なお、ここでは、説明の便宜上、造形物４２の形状については１種類の形状のものを図示して説明したが、造形物４２として相互に異なる複数種類の形状のものを用意して、当該複数種類の造形物を取り付けるようにしてもよい。
【００９７】
次に、造形物４２の位置を変更するステップにおいては、造形物４２の位置を移動させる。具体的には任意であるが、例えば、まず、装飾装置が、第１支持部４１１から第２支持部４１２を取り外した後に、任意の造形物４２を取り外し、当該取り外した造形物４２を取り外された位置とは異なる任意の位置に、支持機構４１にて取り付けることにより、造形物４２の位置を移動させる。なお、ここでの、支持機構４１に取り付ける具体的な手法は、前述の造形物４２を取り付けるステップで説明した手法と同様である。
【００９８】
（本実施の形態の効果）
本実施の形態によれば、造形物４２がパネル体にて形成されていることにより、例えば、造形物４２の取り扱いが容易になるので、装飾構造４の施工性を向上させることが可能となる。
【００９９】
（実施の形態４）
次に、実施の形態４について説明する。この実施の形態４では、「造形手段」がパネル体にて形成されており、当該「造形手段」が基準手段に支持されて対象構造物に設けられている場合について説明する。
【０１００】
（構成）
まず、本実施の形態に係る装飾構造の構成について説明する。図５は、本実施の形態に係る装飾構造を示す図である。なお、図５（ａ）は装飾構造が設けられている建築物の一部の正面図であり、また、図５（ｂ）は図５（ａ）におけるＡ４−Ａ４矢印の断面図である。
【０１０１】
図５に示すように、装飾構造５は、建築物９４の外面に設けられているものであり、例えば、支持機構５１、及び造形物５２を備える。
【０１０２】
（構成−支持機構）
支持機構５１は、前述の基準手段であり、例えば、造形物５２を支持するものである。この支持機構５１の具体的な種類や構成は任意であるが、例えば、特記する場合を除いて図４の支持機構４１と同様に構成されているものであり、また、図５（ｂ）に示すように、第１支持部５１１、及び第２支持部５１２を備えるものである。
【０１０３】
（構成−支持機構−第１及び第２支持部）
第１支持部５１１は、支持機構５１の一部であり、例えば、建築物９３に固定されている部分である。第２支持部５１２は、支持機構５１の他の一部であり、例えば、突出している部分であり、また、第１支持部５１１に着脱自在に取り付けられる部分である。なお、第２支持部５１２が第１支持部５１１に取り付けられる具体的な構成は任意であるが、例えば、図３の支持機構４１と同様であることとする。
【０１０４】
（構成−造形物）
造形物５２は、前述の造形手段である。この造形物５２の具体的な種類や構成は任意であるが、例えば、図５の支持機構５１に支持されて建築物９４に設けられるものであり、また、図５（ａ）の矩形で図示されている単位のパネル体であり、また、任意の材料（アルミ等の金属）にて形成されているものであり、また、詳細は不図示であるが、図５（ａ）の矩形で図示されている単位で金属を編み込んで形成されている金網状のものである。
【０１０５】
（施工手法）
次に、このようにして構成された装飾構造５の施工手法について説明する。なお、装飾構造５の具体的な施工手法は任意であるが、例えば、支持機構５１を取り付けるステップ、造形物５２を取り付けるステップ、及び造形物５２の位置を変更するステップを行う場合を例示して説明する。なお、これらの各ステップを行う実行主体及び具体的内容は任意であるが、例えば、特記する場合を除いて実施の形態３の場合と同様とする。
【０１０６】
まず、支持機構５１を取り付けるステップにおいては、建築物９４の外面に支持機構５１の第１支持部５１１を取り付ける。具体的には任意であるが、例えば、公知の固定手段（例えば、アンカーボルトを用いる固定手段等）を用いて、建築物９４の外面に支持機構５１の第１支持部５１１を複数固定する。
【０１０７】
次に、造形物５２を取り付けるステップにおいては、支持機構５１の第１支持部５１１に対して造形物５２を固定して取り付ける。具体的には任意であるが、例えば、造形物５２の四隅側に支持機構５１の第２支持部５１２が挿通される不図示の挿通孔（例えば、矩形の造形物５２の４隅に設けられる挿通孔）が設けられていることとし、複数の装飾装置を用いて取り付ける。詳細には、第１の装飾装置が、建築物９４に取り付けられている第１支持部５１１に対して、造形物５２を位置決めして保持した状態で、第２の装飾装置が、当該造形物５２の四隅の挿通孔に第２支持部５１２を挿通した状態で当該第２支持部５１２を第１支持部５１１に固定することにより取り付ける。なお、ここでは、１つの第２支持部５１２にて相互に隣接する複数の造形物５２を固定する場合があるが、この場合、複数の造形物５２を同時に位置決めした上で、固定してもよい。
【０１０８】
次に、造形物５２の位置を変更するステップにおいては、造形物５２の位置を移動させる。具体的には任意であるが、例えば、まず、装飾装置が、第１支持部５１１から第２支持部５１２と造形物５２とを共に取り外した後に、当該取り外した造形物５２を取り外された位置とは異なる任意の位置に、支持機構５１にて取り付けることにより、造形物５２の位置を移動させる。
【０１０９】
（本実施の形態の効果）
本実施の形態によれば、造形物５２がパネル体にて形成されていることにより、例えば、造形物５２の取り扱いが容易になるので、装飾構造５の施工性を向上させることが可能となる。
【０１１０】
（実施の形態５）
次に、実施の形態５について説明する。この実施の形態５では、「造形手段」がパネル体にて形成されており、当該「造形手段」が基準手段に支持されて対象構造物に設けられている場合について説明する。
【０１１１】
（構成）
まず、本実施の形態に係る装飾構造の構成について説明する。図６は、本実施の形態に係る装飾構造を示す図である。なお、図６（ａ）は装飾構造が設けられている建築物の一部の正面図であり、また、図６（ｂ）は図６（ａ）におけるＡ５−Ａ５矢印の断面図である。
【０１１２】
図６に示すように、装飾構造６は、建築物９５の外面に設けられているものであり、例えば、支持機構６１、第１造形物６２、及び第２造形物６３を備える。
【０１１３】
（構成−支持機構）
支持機構６１は、前述の基準手段であり、例えば、第１造形物６２及び第２造形物６３を支持するものである。この支持機構６１の具体的な種類や構成は任意であるが、例えば、建築物９５に固定されている部材であり、また、建築物９５の外面に沿って水平方向（Ｙ軸方向）に延在している複数のものであり、また、当該建築物９５の外面から少なくとも一部が突出しているものであり、また、任意の材料（金属等）にて形成されているものである。
【０１１４】
（構成−第１造形物）
図７は、相互に取り外された状態の第１造形物と第２造形物を示す側面図である。第１造形物６２は、前述の造形手段である。この第１造形物６２の具体的な種類や構成は任意であるが、例えば、図６の支持機構６１に支持されて建築物９５に設けられるものであり、また、パネル体であり、また、第２造形物６３と係合するものであり、また、任意の材料（金属又は樹脂等）にて形成されているものであり、また、図７の上側係合部６２１、下側係合部６２２、及び建物側係合部６２３を備えるものである。
【０１１５】
（構成−第１造形物−各係合部）
上側係合部６２１は、他の造形物（例えば、第２造形物６３）と係合する部分であり、例えば、凸部である。また、下側係合部６２２は、他の造形物（例えば、第２造形物６３）と係合する部分であり、例えば、凹部である。また、建物側係合部６２３は、支持機構６１と係合する部分であり、例えば、コ字状に折れ曲がっている部分である。
【０１１６】
（構成−第２造形物）
第２造形物６３は、前述の造形手段である。この第２造形物６３の具体的な種類や構成は任意であるが、例えば、図６の支持機構６１に第１造形物６２介して支持されて建築物９５に設けられるものであり、また、パネル体であり、また、第１造形物６２と係合するものであり、また、任意の材料（金属又は樹脂等）にて形成されているものであり、また、図７の上側係合部６３１、及び下側係合部６３２を備えるものである。
【０１１７】
（構成−第２造形物−各係合部）
上側係合部６３１は、他の造形物（例えば、第１造形物６２）と係合する部分であり、例えば、凸部である。また、下側係合部６３２は、他の造形物（例えば、第１造形物６２）と係合する部分であり、例えば、凹部である。
【０１１８】
（施工手法）
次に、このようにして構成された装飾構造６の施工手法について説明する。なお、装飾構造６の具体的な施工手法は任意であるが、例えば、支持機構６１を取り付けるステップ、各造形物を取り付けるステップ、及び各造形物の位置を変更するステップを行う場合を例示して説明する。なお、これらの各ステップを行う実行主体及び具体的内容は任意であるが、例えば、特記する場合を除いて実施の形態３の場合と同様とする。
【０１１９】
まず、支持機構６１を取り付けるステップにおいては、建築物９５の外面に支持機構６１を取り付ける。具体的には任意であるが、例えば、実施の形態２の場合と同様にして、公知の固定手段（例えば、建築物９５の外面を形成するコンクリート打設時に埋め込む手法等）を用いて、建築物９５の外面に支持機構６１を複数固定する。
【０１２０】
次に、各造形物を取り付けるステップにおいては、支持機構６１に対して第１造形物６２及び第２造形物６３を固定して取り付ける。具体的には任意であるが、例えば、不図示の装飾装置が、第１造形物６２及び第２造形物６３を取り付けるが、例えば、第１造形物６２については、単独で支持機構６１に取り付け可能であるが、第２造形物６３については、単独では支持機構６１に取り付け不可能であり、第２造形物６３の上側（＋Ｚ方向）及び下側（−Ｚ方向）の第１造形物６２と係合した状態で当該第１造形物６２に挟まれて間接的に取り付ける必要があることを考慮して、装飾装置のプログラムが生成されているとする。そして、制御装置は、プログラムに従って、例えば、図６に示すように第１造形物６２を支持機構６１と係合させて取り付けたり、あるいは、第２造形物６３を上下方向（＋Ｚ方向、−Ｚ方向）の第１造形物６２と係合させて取り付けたりする。
【０１２１】
次に、各造形物の位置を変更するステップにおいては、第１造形物６２及び第２造形物６３の位置を移動させる。具体的には任意であるが、例えば、まず、装飾装置が、第１造形物６２及び第２造形物６３を支持機構６１から取り外した後に、異なる任意の位置に取り付けることにより、第１造形物６２及び第２造形物６３を移動させてもよいし、あるいは、水平方向（Ｙ軸方向）に隣接する第１造形物６２及び第２造形物６３を１つ以上取り外した後に、残りの取り外されていない第１造形物６２及び第２造形物６３を、支持機構６１を基準に当該支持機構６１が延在する方向（Ｙ軸方向）に沿ってスライド移動させることにより、第１造形物６２及び第２造形物６３を移動させてもよい。これにて、施工手法の説明を終了する。
【０１２２】
（本実施の形態の効果）
本実施の形態によれば、第１造形物６２及び第２造形物６３がパネル体にて形成されていることにより、例えば、第１造形物６２及び第２造形物６３の取り扱いが容易になるので、装飾構造６の施工性を向上させることが可能となる。
【０１２３】
（実施の形態６）
次に、実施の形態６について説明する。この実施の形態６では、「造形手段」がパネル体にて形成されており、当該「造形手段」が基準手段に支持されて対象構造物に設けられている場合について説明する。
【０１２４】
（構成）
まず、本実施の形態に係る装飾構造の構成について説明する。図８は、本実施の形態に係る装飾構造を示す図である。なお、図８（ａ）は装飾構造が設けられている建築物の正面図であり、また、図８（ｂ）は図８（ａ）におけるＡ６−Ａ６矢印の断面図である。なお、図８（ａ）においては、説明の便宜上、一部の造形物７２の図示を省略しており、当該省略した箇所には、「・・・」を図示している。
【０１２５】
図８に示すように、装飾構造７は、建築物９６の外面に設けられているものであり、例えば、支持機構７１、及び造形物７２を備える。
【０１２６】
（構成−支持機構）
支持機構７１は、前述の基準手段であり、例えば、造形物７２及び装飾装置３２を支持するものである。この支持機構７１の具体的な種類や構成は任意であるが、例えば、装飾装置３２が移動する場合するレールとして機能する部材であり、また、建築物９６に固定されている部材であり、また、建築物９６の外面に沿って水平方向（Ｙ軸方向）に延在している複数のものであり、また、当該建築物９６の外面から少なくとも一部が突出しているものであり、また、任意の材料（金属等）にて形成されているものである。
【０１２７】
（構成−造形物）
造形物７２は、前述の造形手段である。この造形物７２の具体的な種類や構成は任意であるが、例えば、支持機構７１に支持されて建築物９６に設けられるものであり、また、パネル体であり、また、平板形状のものであり、また、任意の材料（金属又は樹脂等）にて形成されているものである。
【０１２８】
（施工手法）
次に、このようにして構成された装飾構造７の施工手法について説明する。なお、装飾構造７の具体的な施工手法は任意であるが、例えば、支持機構７１を取り付けるステップ、造形物７２を取り付けるステップ、及び造形物７２の位置を変更するステップを行う場合を例示して説明する。なお、これらの各ステップを行う実行主体は任意であるが、例えば、支持機構７１を取り付けるステップについては作業員が手作業に行い、造形物７２を取り付けるステップ、及び造形物７２の位置を変更するステップについては、装飾装置３２が行うこととする。
【０１２９】
ここで、装飾装置３２は、少なくとも、造形物７２を取り付けるステップ、及び造形物７２の位置を変更するステップを行う装置であり、例えば、実施の形態１で説明した不図示の装飾装置と同様な記録部及び制御部を備える。また、装飾装置３２は、例えば、任意の移動駆動機構（例えば、支持機構７１又は上下方向移動機構３２１をレールとして移動するための車輪等）を備えており、支持機構７１に沿って水平方向（Ｙ軸方向）に移動したり、上下方向移動機構３２１に沿って垂直方向（Ｚ軸方向）に移動したりするように構成されている。また、装飾装置３２は、例えば、造形物７２を自己の内部に収容する不図示の収容部、及び当該造形物７２を不図示の収容部に対して出し入れする操作機構（例えば、ロボットアームの如き公知の操作機構等）を備える。
【０１３０】
まず、支持機構７１を取り付けるステップにおいては、建築物９６の外面に支持機構７１を取り付ける。具体的には任意であるが、例えば、実施の形態２の場合と同様にして、公知の固定手段（例えば、建築物９６の外面を形成するコンクリート打設時に埋め込む手法等）を用いて、建築物９６の外面に支持機構７１を複数固定する。なお、この場合、建築物９６に対して上下方向移動機構３２１も設ける。
【０１３１】
次に、造形物７２を取り付けるステップにおいては、支持機構７１に対して造形物７２を固定して取り付ける。具体的には任意であるが、例えば、装飾装置３２の制御部が、自己の記録部に記録されているプログラムを実行することにより、装飾装置３２を支持機構７１及び上下方向移動機構３２１に沿って水平方向（Ｙ軸方向）又は垂直方向（Ｚ軸方向）に移動させ、また、支持機構７１の収容部に収容されている造形物７２を、操作機構を用いて支持機構７１に取り付ける。なお、支持機構７１の具体的な取付手法は任意であるが、例えば、垂直方向（Ｚ軸方向）において相互に隣接している２本の支持機構７１の間に嵌め込んで取り付けることとする。また、装飾装置３２の収容部に収容できる造形物７２の個数には限りがあるが、造形物７２を多数取り付ける場合、地面又は屋上の任意の位置に造形物７２を供給する供給装置を設置した上で、装飾装置３２が当該供給装置側に移動して自己の収容部に補充するように構成してもよい。
【０１３２】
次に、造形物７２の位置を変更するステップにおいては、造形物７２の位置を移動させる。具体的には任意であるが、例えば、まず、装飾装置３２が、造形物７２を支持機構７１から取り外した後に、異なる任意の位置に取り付けることにより、造形物７２を移動させてもよいし、あるいは、水平方向（Ｙ軸方向）に隣接する造形物７２を１つ以上取り外した後に、残りの取り外されていない造形物７２を、支持機構７１を基準に当該支持機構７１が延在する方向（Ｙ軸方向）に沿ってスライド移動させることにより、造形物７２を移動させてもよい。なお、ここでの装飾装置３２による具体的な処理については、造形物７２を取り付けるステップで説明した場合と同様にして、装飾装置３２の操作機構及び収容部を用いて行ってもよい。これにて、施工手法の説明を終了する。
【０１３３】
（本実施の形態の効果）
本実施の形態によれば、造形物７２がパネル体にて形成されていることにより、例えば、造形物７２の取り扱いが容易になるので、装飾構造７の施工性を向上させることが可能となる。
【０１３４】
（実施の形態７）
次に、実施の形態７について説明する。この実施の形態７では、「造形手段」がパネル体にて形成されており、当該「造形手段」が基準手段に支持されて対象構造物に設けられている場合について説明する。
【０１３５】
（構成）
まず、本実施の形態に係る装飾構造の構成について説明する。図９は、本実施の形態に係る装飾構造を示す図である。なお、図９（ａ）は装飾構造が設けられている建築物の一部の正面図であり、また、図９（ｂ）は図９（ａ）におけるＡ７−Ａ７矢印の断面図である。
【０１３６】
図９に示すように、装飾構造８は、建築物９７の外面に設けられているものであり、例えば、支持機構８１、及び造形物８２を備える。
【０１３７】
（構成−支持機構）
支持機構８１は、前述の基準手段であり、例えば、造形物８２を支持するものである。この支持機構８１の具体的な種類や構成は任意であるが、例えば、建築物９７に固定されている部材であり、また、建築物９７の外面に沿って相互に等間隔に設けられている複数のものであり、また、当該建築物９７の外面から突出しているものであり、また、任意の材料（金属又は樹脂等）にて形成されているものである。
【０１３８】
（構成−造形物）
造形物８２は、前述の造形手段である。この造形物８２の具体的な種類や構成は任意であるが、例えば、支持機構８１に支持されて建築物９７に設けられるものであり、また、パネル体であり、また、平板形状のものであり、また、任意の材料（金属又は樹脂等）にて形成されているものである。
【０１３９】
（施工手法）
次に、このようにして構成された装飾構造８の施工手法について説明する。なお、装飾構造８の具体的な施工手法は任意であるが、例えば、支持機構８１を取り付けるステップ、造形物８２を取り付けるステップ、及び造形物８２の位置を変更するステップを行う場合を例示して説明する。なお、これらの各ステップを行う実行主体は任意であるが、例えば、支持機構８１を取り付けるステップについては作業員が手作業に行い、造形物８２を取り付けるステップ、及び造形物８２の位置を変更するステップについては、装飾装置３３が行うこととする。
【０１４０】
ここで、装飾装置３３は、少なくとも、造形物８２を取り付けるステップ、及び造形物８２の位置を変更するステップを行う装置であり、例えば、実施の形態１で説明した不図示の装飾装置と同様な記録部及び制御部を備える。また、装飾装置３３は、例えば、４本の移動用ワイヤ３３１の一端が固定されており、当該移動用ワイヤ３３１の他端を保持する移動用ワイヤ操作機構３３２であって建築物９７の４隅付近に設けられている移動用ワイヤ操作機構３３２による移動用ワイヤ３３１の操作により移動するように構成されている。なお、移動用ワイヤ操作機構３３２は、移動用ワイヤ３３１を巻き取ったりくり出したりするボビンが設けられており、装飾装置３３との間で無線通信を行って当該装飾装置３３からの命令により、ボビンを操作して当該装飾装置３３を移動させるように構成されていることとする。
【０１４１】
まず、支持機構８１を取り付けるステップにおいては、建築物９７の外面に支持機構８１を取り付ける。具体的には任意であるが、例えば、実施の形態１の場合と同様にして、公知の固定手段（例えば、アンカーボルトを用いる固定手段等）を用いて、建築物９７の外面に支持機構８１を複数固定する。
【０１４２】
次に、造形物８２を取り付けるステップにおいては、支持機構８１に対して造形物８２を固定して取り付ける。具体的には任意であるが、例えば、図９（ａ）の造形物搬出口９７１から造形物８２が建築物９７の内部に設けられている搬出機構により搬出されるように構成されていることとし、装飾装置３３の制御部が、自己の記録部に記録されているプログラムを実行することにより、移動用ワイヤ操作機構３３２を制御して、装飾装置３３を造形物搬出口９７１に移動させて、当該造形物搬出口９７１から搬出される造形物８２を受け取って不図示のアームで保持し、造形物８２を保持した状態で当該造形物８２を取り付ける位置に移動して当該造形物８２を、支持機構８１に取り付ける。ここでの具体的な取付手法は任意であり公知の構造を適用であるが、例えば、造形物８２に支持機構８１と係合する不図示の係合部が設けられており、当該係合部を用いて取り付けるように構成してもよい。
【０１４３】
次に、造形物８２の位置を変更するステップにおいては、造形物８２の位置を移動させる。具体的には任意であるが、例えば、まず、装飾装置３３が、造形物８２を支持機構８１から取り外した後に、異なる任意の位置に取り付けることにより、造形物８２を移動させる。これにて、施工手法の説明を終了する。
【０１４４】
（本実施の形態の効果）
本実施の形態によれば、造形物８２がパネル体にて形成されていることにより、例えば、造形物８２の取り扱いが容易になるので、装飾構造８の施工性を向上させることが可能となる。
【０１４５】
（実施の形態８）
次に、実施の形態８について説明する。この実施の形態８では、「造形手段」が装飾用装置である三次元プリンタを用いて取り付けられるものであり、当該「造形手段」が基準手段を基準にして対象構造物に直接的に設けられている場合について説明する。特に、装飾用装置が、対象構造物の装飾面に平行な方向又は当該装飾面に垂直な方向に移動するように構成されている場合について説明する。
【０１４６】
（構成）
まず、本実施の形態に係る装飾構造の構成について説明する。図１０は、本実施の形態に係る装飾構造を示す図である。なお、図１０（ａ）は装飾構造が設けられている建築物の一部の正面図であり、また、図１０（ｂ）は図１０（ａ）におけるＡ８−Ａ８矢印の断面図である。なお、図１０において、装飾装置３３Ａは、説明の便宜上、詳細構造の図示が省略されている。
【０１４７】
図１０に示すように、装飾構造１Ａは、少なくとも一部が建築物９７Ａの外面（装飾面）に設けられているものであり、例えば、造形物１２Ａ、及び基準手段として機能する移動用ワイヤ操作機構３３２Ａを備える。なお、以下の説明では、まず、造形物１２Ａについて説明し、この後、装飾装置３３Ａの説明において、移動用ワイヤ操作機構３３２Ａについて説明する。
【０１４８】
（構成−造形物）
造形物１２Ａは、前述の造形手段である。この造形物１２Ａの具体的な種類や構成は任意であるが、例えば、移動用ワイヤ操作機構３３２Ａ（基準手段）を基準にして装飾装置３３Ａにて建築物９７Ａに直接的に設けられているものであり、また、任意の材料（樹脂等）にて形成されているものである。
【０１４９】
（構成−装飾装置）
装飾装置３３Ａは、第１装飾用装置であり、具体的には、造形物１２Ａを取り付けるステップ、及び造形物１２Ａの位置を変更するステップを行う装置であり、例えば、実施の形態１で説明した不図示の装飾装置と同様な記録部及び制御部を備える。また、装飾装置３３Ａは、全体的には図９の装飾装置３３と同様に構成されており、例えば、４本の移動用ワイヤ３３１Ａの一端が固定されており、当該移動用ワイヤ３３１Ａの他端を保持する移動用ワイヤ操作機構３３２Ａであって建築物９７Ａの４隅付近に設けられている移動用ワイヤ操作機構３３２Ａによる移動用ワイヤ３３１Ａの操作により移動するように構成されている。なお、移動用ワイヤ操作機構３３２Ａは、例えば、図９の移動用ワイヤ操作機構３３２と同様に構成されており、例えば、移動用ワイヤ３３１Ａを巻き取ったりくり出したりするボビンが設けられており、装飾装置３３Ａとの間で無線通信を行って当該装飾装置３３Ａからの命令により、ボビンを操作して当該装飾装置３３Ａを移動させるように構成されていることとする。また、装飾装置３３Ａは、図２のヘッド部３１１と同様な不図示のヘッド部を備えている。そして、この不図示のヘッド部は、図１０（ｂ）における装飾装置３３Ａから建築物９７Ａ側に向かって突出するように構成されており、また、当該ヘッド部の先端から造形物１２Ａを形成する任意の材料（樹脂材等）を吐出するように構成されており、また、建築物９７Ａの外面に平行な方向又は当該外面に垂直な方向に移動可能となっている。なお、この不図示のヘッド部を、建築物９７Ａの外面に平行な方向又は当該外面に垂直な方向に移動可能とする具体的な構成は任意であるが、例えば、ヘッド部を移動させる公知の移動機構（例えば、ガイドに沿って移動させる機構、あるいは、ロボットアームの技術を用いて移動させる機構等）を用いることができる。
【０１５０】
（施工手法）
次に、このようにして構成された装飾構造１Ａの施工手法について説明する。なお、装飾構造１Ａの具体的な施工手法は任意であるが、例えば、造形物１２Ａを取り付けるステップ、及び造形物１２Ａの位置を変更するステップを行う場合を例示して説明する。なお、これらの各ステップを行う実行主体は任意であるが、例えば、装飾装置３３Ａが行うこととする。
【０１５１】
まず、造形物１２Ａを取り付けるステップにおいては、建築物９７Ａに対して造形物１２Ａを直接的に固定して取り付ける。具体的には任意であるが、例えば、図１０（ａ）の装飾装置３３Ａの制御部が、自己の記録部に記録されているプログラムを実行することにより、まず、移動用ワイヤ操作機構３３２Ａを制御して、装飾装置３３Ａを任意の位置に移動させる。次に、装飾装置３３Ａの制御部が、自己の不図示のヘッド部から樹脂材を吐出しつつ、当該ヘッド部を建築物９７Ａの外面に平行な方向（ＹＺ平面に平行な方向）又は垂直な方向（Ｘ軸方向）に移動させる。このように処理することにより、全体として任意の模様の造形物１２Ａを形成する（取り付ける）ことができるが、特に、装飾装置３３Ａの不図示のヘッド部が建築物９７Ａの外面に対して垂直な方向（Ｘ軸方向）に移動可能となっているので、造形物１２Ａの厚みも調整することが可能となる。
【０１５２】
次に、造形物１２Ａの位置を変更するステップにおいては、造形物１２Ａの位置を移動させる。具体的には任意であるが、例えば、装飾装置３３Ａの制御部が、自己の記録部に記録されているプログラムを実行することにより、造形物１２Ａを取り付けるステップで説明した場合と同様にして、装飾装置３３Ａの不図示のヘッド部を移動させ、また、ヘッド部に対して着脱可能に（ユーザの手作業を介さずに自動的に、あるいは、ユーザの手作業によって手動で）取り付けられる除去具を用いて、建築物９７Ａに取り付けられている造形物１２Ａの少なくとも一部を除去した上で、造形物１２Ａを取り付けるステップで説明した場合と同様にして、当該除去した造形物１２Ａが設けられていた位置とは異なる位置に、造形物１２Ａを取り付けることにより、造形物１２Ａを移動させる。なお、当該ステップを実行する場合、造形物１２Ａの全体の模様を変更せずに当該造形物１２Ａを移動させたり、あるいは、造形物１２Ａの全体の模様を変更して当該造形物１２Ａを移動させたりすることが想定されるが、これらの両方が造形物１２Ａの位置を移動させることに対応する。これにて、施工手法の説明を終了する。
【０１５３】
（本実施の形態の効果）
本実施の形態によれば、装飾装置３３Ａを用いて造形物１２Ａを建築物９７Ａに取り付けることにより、例えば、装飾装置３３Ａを用いて外部環境の影響の調整及び装飾を自動的に行うことができるので、利便性を向上させる事が可能となる。
【０１５４】
また、移動用ワイヤ操作機構３３２Ａを基準に建築物９７Ａの外面に平行な方向又は当該装飾面に垂直な方向に、装飾装置３３Ａ自体又は装飾装置３３Ａの不図示のヘッド部を移動させることにより、造形物１２Ａを建築物９７Ａに取り付けることにより、例えば、造形物１２Ａの厚み又は装飾面に対して垂直な方向の造形物１２Ａの取り付け位置を調整することにより建築物９７Ａに対して凹凸を形成することができ、建築物９７Ａの意匠性を向上させる事が可能となる。
【０１５５】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０１５６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【０１５７】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。
【０１５８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１５９】
（支持機構について）
また、上記各実施の形態の支持機構を対象構造物に対して移動可能としてもよい。具体的な構成は任意であるが、例えば実施の形態１において、図１の建築物９１の外面に垂直な方向（Ｘ軸方向）に支持機構１１が移動可能となるように構成してもよい。詳細には、例えば、建築物９１に支持機構１１を取り付ける取付孔を設けて、支持機構１１の一部を当該取付孔に挿入した状態で移動機構（例えば、支持機構１１を取付孔に対して突出する方向に移動させたり退避する方向に移動させたりする任意の機構）を介して当該支持機構１１を建築物９１に取り付けもよい。そして、移動機構を制御することにより、支持機構１１の突出量を変更して支持機構１１を移動させてもよい。あるいは、建築物９１の外面に沿って支持機構１１が移動可能となるように構成してもよい。詳細には、例えば、建築物９１の外面に沿ってレールを設けた上で、当該レールに対して他の移動機構（例えば、レールに沿って支持機構１１を移動させる任意の機構）を介して当該支持機構１１を建築物９１に取り付けてもよい。そして、他の移動機構をレールに沿って移動させることにより、建築物９１の外面に沿って支持機構１１を移動させてもよい。なお、他の実施の形態でもこの手法を含む任意の手法で支持機構を移動可能としてもよい。このように構成した場合、支持機構１１が建築物９１に対して移動可能となっていることにより、例えば、支持機構１１を動かすことにより造形物１２を建築物９１に対して動かすことができるので、建築物９１の外観を変化させることにより興味を抱かせることができ、建築物９１の意匠性を向上させる事が可能となる。
【０１６０】
（支持機構の移動タイミングについて）
また、変形例の「（支持機構について）」で説明した移動可能に構成される支持機構の移動タイミングは任意であり、例えば、予め定められた定期的なタイミング（例えば、１日毎、１カ月毎、あるいは、季節毎）に移動するように構成してもよいし、あるいは、不定期のタイミング（一例としては、管理者が制御ボタンを押下したタイミング等）に移動するように構成してもよい。
【０１６１】
（第２造形物質について）
また、前述の第２造形物質を出力するように構成してもよい。図１１は、装飾構造を示す図である。なお、図１１（ａ）は装飾構造が設けられている建築物の一部の正面図であり、また、図１１（ｂ）は図１１（ａ）におけるＡ１０−Ａ１０矢印の断面図である。図１１に示すように、建築物９２Ａに対し支持機構２１Ａ及び装飾装置３１Ａ（第２装飾用装置）を設けてもよい。なお、ここでの支持機構２１Ａ及び装飾装置３１Ａは、特記する場合を除いて、実施の形態２の図２の支持機構２１及び装飾装置３１と同様であることとする。図１１の装飾装置３１Ａは、第２造形物質である図１１（ｂ）の吐出物３１１Ｂを出力するように構成されていることとする。この吐出物３１１Ｂを出力する具体的な種類や構成は任意であるが、例えば、水（流水又はミストを含む）の如き液体、シャボン玉、雲、又は煙のうちの少なくとも１つを、又は、複数を同時に又は交互に出力するように構成されていることとする。そして、実施の形態２で説明した場合と同様にして、装飾装置３１Ａが支持機構２１Ａに沿って任意の位置に移動し、当該任意の位置で吐出物３１１Ｂを出力することにより、当該任意の位置において建築物９２Ａを装飾しつつ当該建築物９２Ａへの外部環境の影響を調整する。また、装飾装置３１Ａが支持機構２１Ａに沿って他の位置に移動することにより、当該他の位置において建築物９２Ａを装飾しつつ当該建築物９２Ａへの外部環境の影響を調整する。なお、ここでの支持機構２１Ａが「基準手段」に装置し、また、装飾装置３１Ａが「造形手段」に相当し、また、支持機構２１Ａ及び装飾装置３１Ａが「装飾構造」に相当する。
【０１６２】
このように構成した場合、造形手段は対象構造物の周囲に出力される第２造形物質を出力する第２装飾用装置を含んでいることにより、例えば、第２装飾用装置を用いて外部環境の影響の調整及び装飾を自動的に行うことができるので、利便性を向上させる事が可能となる。また、例えば、第２造形物質が対象構造物の周囲に出力され、第２造形物質が対象構造物に固定されるわけではないので、当該第２造形物質を対象構造物から取り除く作業が不要となり、メンテナンス効率を向上させる事が可能となる。また、第２造形物質は液体を含んでいることにより、例えば、第２造形物質の出力形態（例えば、液体である第２造形物質の出力タイミング、あるいは、当該第２造形物質の出力範囲等）を任意に変更することができるので、第２装飾用装置による外部環境の影響の調整及び装飾の効果を確実に発揮させる事が可能となる。
【０１６３】
（検出部について（その１））
また、上記各実施の形態又は変形例に記載の技術に対して、検出部を設けてもよい。「検出部」とは、外部環境に関連する検出対象を検出する検出手段であり、例えば、温度、湿度、風速、又は日射量を検出（計測）するセンサ、あるいは、日射透過率、太陽の向き、又は太陽高度を演算して検出する検出装置等を含む概念である。なお、この検出部の具体的な実装手段は任意であり、各実施の形態又は変形例の全てに対して実装することができるが、例えば、実施の形態７の図９の技術に対して温度を検出する温度センサを実装する場合を例示する。具体的には、図９の建築物９７の外面に一定距離間隔（例えば、３ｍ〜５ｍ間隔等）で温度センサを複数設けて、装飾装置３３の制御部が、当該温度センサが検出した温度を受信し、受信した温度に基づいてパネル体である造形物８２を取り付けたり、当該取り付けた造形物８２の位置を変更したりするように構成してもよい。つまり、装飾装置３３の制御部が、外部環境に関連する検出対象を検出し、検出された検出対象に基づいて、対象構造物に前記造形手段を取り付けるステップを行ったり、あるいは、外部環境に関連する検出対象を検出し、検出された検出対象に基づいて、造形手段の位置を変更するステップを行ったりするように構成してもよい。詳細には、例えば、装飾装置３３の記録部に目標温度範囲を規定する上限値である「２２℃」及び下限値である「１５℃」が記録されていることとする。そして、装飾装置３３の制御部が、温度センサが検出した温度を受信し、受信した温度が上限値以上である場合において、建築物９７における当該温度を検出した温度センサの周辺位置に造形物８２が取り付けられている場合、当該造形物８２を取り外し、一方、受信した温度が下限値以下である場合において、建築物９７における当該温度を検出した温度センサの周辺位置に造形物８２が取り付けられていない場合、造形物８２を取り付けるように制御してもよい。なお、「温度センサの周辺位置」とは、温度センサが設けられている位置の周辺の位置であり、例えば、温度センサが設けられている位置を中心にした所定径（例えば、６ｍ〜７ｍ等）以内の範囲に対応する位置である。
【０１６４】
このように構成した場合、例えば、外部環境に関連する検出対象を検出し、検出された検出対象に基づいて、対象構造物に造形手段を取り付けることにより、例えば、外部環境による影響（例えば、日射等の任意の影響）を把握した上で造形手段を取り付けることができるので、外部環境による影響を適切に調整する事が可能となる。また、例えば、外部環境に関連する検出対象を検出し、検出された検出対象に基づいて、造形手段の位置を変更することにより、例えば、外部環境による影響（例えば、日射等の任意の影響）を把握した上で造形手段の位置を変更することができるので、外部環境による影響を適切に調整する事が可能となる。
【０１６５】
（検出部について（その２））
また、検出部が検出した検出対象の検出結果に基づいて、相互に異なる造形物を取り付けるように構成してもよい。例えば、造形物であるパネル体（任意の形状又は模様のパネル体）の作成時の実験又はシミュレーション等にて、造形物の形状、模様、色等と外部環境の影響の調整量との相互関係を把握した上で、当該把握した事項に基づいて当該造形物を取り付けたり、あるいは、当該造形物の位置を変更したりしてもよい。例えば、前述したように、図９の装飾装置３３の制御部が、温度センサが検出した温度を受信し、受信した温度に基づいて、第１の構成のパネル体である造形物、又は当該第１の構成のパネル体とは異なる構成の第２の構成のパネル体である造形物を建築物９７の外面に取り付けたり、あるいは、当該造形物の位置を変更したりするように構成してもよい。
【０１６６】
（検出部について（その３））
また、実施の形態２又は実施の形態８で説明した三次元プリンタを用いて、木の葉のイメージを想起させる構成の造形物を形成するように構成もよい。具体的には任意であるが、例えば、装飾装置３１、３３Ａの制御部が、検出部の検出結果に基づいて、当該造形物の単位面積当たりの個数を決定し、決定した個数の造形物を建築物９２、９７Ａの外面に取り付けてもよい。なお、この場合、装飾装置３１、３３Ａの制御部が、検出部による検出結果を繰り返し受信し、受信した検出結果の変化に応じて、建築物９２、９７Ａの外面に取り付けられている当該造形物の個数を変更してもよい。また、当該造形物については、温度変化により形状又は粘着力が変化する材料にて形成することにより、温度が閾値を未満となった場合に、自動的に剥がれるように構成することにより、木の葉が落ちていくイメージを想起させてもよい。この場合、複数の造形物各々において、相互に異なる温度にて剥がれるように当該造形物を形成（一例としては、材料の配分の変更又は形状の変更により形成）した上で、温度が低下する場合に、複数の造形物が順次剥がれるように構成することにより、木の葉が順次落ちていくイメージを想起させてもよい。
【０１６７】
（装飾装置について）
また、各実施の形態で説明した装飾装置の外形を任意に変更した上で、当該装飾装置の外形にて、外部環境の影響の調整及び装飾を行えるように構成してもよい。具体的には任意であるが、例えば、図２の装飾装置３１に対して、前述の造形物であるパネル体を取り付けた上で、当該パネル体と装飾装置３１とが相互に一体として移動するように構成した上で、装飾装置３１の外形（具体的には、設けられているパネル体）にて建築物９２に対する外部環境の影響の調整及び装飾を行うように構成してもよい。この場合、建築物９２に対する外部環境の影響の調整及び装飾を適切に行えるように、装飾装置３１の個数及び装飾装置３１のサイズや形状を任意に変更してもよい。なお、この場合、パネル体が取付られた状態の装飾装置３１が、「第１装飾用装置」に相当し、また、「造形手段」にも相当する。このように構成した場合、造形手段が対象構造物に取り付けられる第１造形物質を出力する第１装飾用装置を含んでいることにより、例えば、第１装飾用装置を用いて外部環境の影響の調整及び装飾を自動的に行うことができるので、利便性を向上させる事が可能となる。なお、ここでは、装飾装置３１に対してパネル体を取り付けるものと説明したが、装飾装置３２の一部（一例としては、建築物９２Ａに平行な部分であって、外部から視認可能な部分）の形状を当該パネル体の如き形状に予め形成してもよい。
【０１６８】
（その他について）
また、前述の各造形物については、検出部を設けるか否かに関わらず適用してもよい。また、例えば、前述の第２造形物質に対して光を照射することにより、画像を投影して装飾してもよい。
【０１６９】
また、図１０を用いて実施の形態８で説明した技術を、他の実施の形態（例えば、実施の形態７等）に適用してもよい。この場合、装飾面に垂直な方向にも図９の装飾装置３３を移動させることにより、パネル体である造形物８２を装飾面に垂直な方向に複数枚重ねて設けてもよい。
【０１７０】
また、上記各実施の形態の装飾装置が出力する物質を任意に変更してもよく、例えば、前述の第１造形物質を出力するように構成してもよいし、あるいは、第２造形物質を出力するように構成してもよい。
【０１７１】
また、前述の装飾用装置として、いわゆるドローン等の如き飛行装置を用いてもよい。
【０１７２】
（組み合わせについて）
また、上記各実施の形態の技術を任意に組み合わせてもよい。具体的には、実施の形態６又は７で説明した装飾装置３２、３３の如き装飾装置を用いて、他の実施の形態の装飾構造を施工してもよい。
【０１７３】
（付記）
付記１の装飾構造は、少なくとも建築物又は工作物を含む対象構造物を装飾する装飾構造であって、前記対象構造物への外部環境の影響を調整する前記装飾構造であり、前記対象構造物に設けられている基準手段と、前記基準手段を基準に前記対象構造物に取り付けられる造形手段であって、前記対象構造物への外部環境の影響を調整して前記対象構造物を装飾する前記造形手段と、を備え、前記対象構造物に対する前記造形手段の位置は変更可能である。
【０１７４】
付記２の装飾構造は、付記１に記載の装飾構造において、前記造形手段は、前記基準手段に支持されて前記対象構造物に設けられている。
【０１７５】
付記３の装飾構造は、付記２に記載の装飾構造において、前記基準手段は、前記対象構造物に対して移動可能となっている。
【０１７６】
付記４の装飾構造は、付記１に記載の装飾構造において、前記造形手段は、前記基準手段を基準にして前記対象構造物に直接的に設けられている。
【０１７７】
付記５の装飾構造は、付記１から４の何れか一項に記載の装飾構造において、前記造形手段は、紐状体を含んでいる。
【０１７８】
付記６の装飾構造は、付記１から４の何れか一項に記載の装飾構造において、前記造形手段は、パネル体を含んでいる。
【０１７９】
付記７の装飾構造は、付記１から４の何れか一項に記載の装飾構造において、前記造形手段は、前記対象構造物に取り付けられる第１造形物質を出力する第１装飾用装置を含んでいる。
【０１８０】
付記８の装飾構造は、付記７に記載の装飾構造において、前記造形手段は、前記第１造形物質を含んでいる。
【０１８１】
付記９の装飾構造は、付記１から４の何れか一項に記載の装飾構造において、前記造形手段は、前記対象構造物の周囲に出力される第２造形物質を出力する第２装飾用装置を含んでいる。
【０１８２】
付記１０の装飾構造は、付記９に記載の装飾構造において、前記第２造形物質は、液体を含んでいる。
【０１８３】
付記１１の装飾方法は、少なくとも建築物又は工作物を含む対象構造物への外部環境の影響を調整して装飾する装飾方法であって、前記対象構造物に設けられている基準手段を基準に前記対象構造物に造形手段を取り付けるステップであって、前記対象構造物への外部環境の影響を調整して前記対象構造物を装飾する前記造形手段を取り付けるステップと、前記対象構造物に対する前記造形手段の位置を変更するステップと、を含む。
【０１８４】
付記１２の装飾方法は、付記１１に記載の装飾方法において、前記造形手段を取り付けるステップは、装飾用装置を用いて前記造形手段を前記対象構造物に取り付けるステップ、を含む。
【０１８５】
付記１３の装飾方法は、付記１２に記載の装飾方法において、前記造形手段を取り付けるステップは、前記基準手段を基準に前記対象構造物の装飾面に平行な方向又は当該装飾面に垂直な方向に、前記装飾用装置を移動させることにより、前記造形手段を前記対象構造物に取り付けるステップ、を含む。
【０１８６】
付記１４の装飾方法は、付記１２又は１３に記載の装飾方法において、前記造形手段を取り付けるステップは、前記装飾用装置として三次元プリンタを用いて前記造形手段を前記対象構造物に取り付けるステップ、を含む。
【０１８７】
付記１５の装飾方法は、付記１１から１４の何れか一項に記載の装飾方法において、前記造形手段を取り付けるステップは、前記外部環境に関連する検出対象を検出し、検出された検出対象に基づいて、前記対象構造物に前記造形手段を取り付けるステップ、を含む。
【０１８８】
付記１６の装飾方法は、付記１１から１５の何れか一項に記載の装飾方法において、前記造形手段の位置を変更するステップは、前記外部環境に関連する検出対象を検出し、検出された検出対象に基づいて、前記造形手段の位置を変更するステップ、を含む。
【０１８９】
（付記の効果）
付記１に記載の装飾構造によれば、対象構造物への外部環境の影響を調整して装飾する造形手段の位置が変更可能であることにより、例えば、造形手段にて外部環境の影響（例えば、日射や風雨等の任意の影響）を調整することができ、また、造形手段の取り付け位置を変更させることにより興味を抱かせることができるので、対象構造物への外部環境の影響を調整しつつ当該対象構造物の意匠性を向上させる事が可能となる。
【０１９０】
付記２に記載の装飾構造によれば、造形手段が基準手段に支持されていることにより、例えば、造形手段を強固に取り付けることができるので、地震等で造形手段が外れることを防止することができ、安全性を向上させる事が可能となる。また、例えば、対象構造物自体を汚損することなく造形手段を取り付ける事が可能となる。
【０１９１】
付記３に記載の装飾構造によれば、基準手段が対象構造物に対して移動可能となっていることにより、例えば、基準手段を動かすことにより造形手段を対象構造物に対して動かすことができるので、対象構造物の外観を変化させることにより興味を抱かせることができ、対象構造物の意匠性を向上させる事が可能となる。
【０１９２】
付記４に記載の装飾構造によれば、造形手段が対象構造物に直接的に設けられていることにより、例えば、造形手段と対象構造物との相互間の一体感を演出することができるので、意匠性を更に向上させる事が可能となる。
【０１９３】
付記５に記載の装飾構造によれば、造形手段が紐状体を含んでいることにより、例えば、紐状体を基準手段に引っ掛けて編み込むことにより、造形手段を任意の形状にすることができるので、意匠性を更に向上させる事が可能となる。また、例えば、（取り付け位置を変更するために）造形手段を一度回収する場合に、紐状体を巻き取って容易に回収すること等が可能となるので、装飾構造の施工性を向上させる事が可能となる。
【０１９４】
付記６に記載の装飾構造によれば、造形手段がパネル体を含んでいることにより、例えば、造形手段の取り扱いが容易になるので、装飾構造の施工性を向上させる事が可能となる。
【０１９５】
付記７に記載の装飾構造によれば、造形手段が対象構造物に取り付けられる第１造形物質を出力する第１装飾用装置を含んでいることにより、例えば、第１装飾用装置を用いて外部環境の影響の調整及び装飾を自動的に行うことができるので、利便性を向上させる事が可能となる。また、例えば、ユーザが変えたいと思った時にすぐ造形手段の位置等の変更ができるので、ユーザの意図に沿った装飾を迅速に施す事が可能となる。
【０１９６】
付記８に記載の装飾構造によれば、造形手段が第１造形物質を含んでいることにより、例えば、対象構造物に対して第１造形物質を固定して外部環境の影響の調整及び装飾を持続的に行う事が可能となる。
【０１９７】
付記９に記載の装飾構造によれば、造形手段は対象構造物の周囲に出力される第２造形物質を出力する第２装飾用装置を含んでいることにより、例えば、第２装飾用装置を用いて外部環境の影響の調整及び装飾を自動的に行うことができるので、利便性を向上させる事が可能となる。また、例えば、第２造形物質が対象構造物の周囲に出力され、第２造形物質が対象構造物に固定されるわけではないので、当該第２造形物質を対象構造物から取り除く作業が不要となり、メンテナンス効率を向上させる事が可能となる。また、例えば、第２造形物質を出力した直後から、装飾に関する効果又は外部環境の影響を調整することに関する効果をもたらすことが可能となるので、迅速に当該効果をもたらすことが可能となる。
【０１９８】
付記１０に記載の装飾構造によれば、第２造形物質は液体を含んでいることにより、例えば、第２造形物質の出力形態（例えば、液体である第２造形物質の出力タイミング、あるいは、当該第２造形物質の出力範囲等）を任意に変更することができるので、第２装飾用装置による外部環境の影響の調整及び装飾の効果を確実に発揮させる事が可能となる。また、例えば、第２造形物質としての液体（一例としては、水等）を吹き付けた直後から、装飾に関する効果又は外部環境の影響を調整することに関する効果をもたらすことが可能となるので、迅速に当該効果をもたらすことが可能となる。
【０１９９】
付記１１に記載の装飾方法によれば、対象構造物への外部環境の影響を調整して装飾する造形手段の位置が変更可能であることにより、例えば、造形手段にて外部環境の影響（例えば、日射や風雨等の任意の影響）を調整することができ、また、造形手段の取り付け位置を変更させることにより興味を抱かせることができるので、対象構造物への外部環境の影響を調整しつつ当該対象構造物の意匠性を向上させる事が可能となる。
【０２００】
付記１２に記載の装飾方法によれば、装飾用装置を用いて造形手段を対象構造物に取り付けることにより、例えば、装飾用装置を用いて外部環境の影響の調整及び装飾を自動的に行うことができるので、利便性を向上させる事が可能となる。また、例えば、ユーザが変えたいと思った時にすぐ造形手段の位置等の変更ができるので、ユーザの意図に沿った装飾を迅速に施す事が可能となる。
【０２０１】
付記１３に記載の装飾方法によれば、基準手段を基準に対象構造物の装飾面に平行な方向又は当該装飾面に垂直な方向に、装飾用装置を移動させることにより、造形手段を対象構造物に取り付けることにより、例えば、造形手段の厚み又は装飾面に対して垂直な方向の造形手段の取り付け位置を調整することにより対象構造物に対して凹凸を形成することができ、対象構造物の意匠性を向上させる事が可能となる。
【０２０２】
付記１４に記載の装飾方法によれば、三次元プリンタを用いて造形手段を取り付けることにより、例えば、任意の形状の造形手段を任意の位置に設けることができるので、ユーザの意図に沿った装飾を施す事が可能となる。また、例えば、三次元プリンタを用いて造形手段を取り付ける過程において、対象構造物の外観を時間の経過に従って連続的に変化させることにより興味を抱かせることができ、対象構造物の意匠性を向上させる事が可能となる。
【０２０３】
付記１５に記載の装飾方法によれば、外部環境に関連する検出対象を検出し、検出された検出対象に基づいて、対象構造物に造形手段を取り付けることにより、例えば、外部環境による影響（例えば、日射や風雨等の任意の影響）を把握した上で造形手段を取り付けることができるので、外部環境による影響を適切に調整する事が可能となる。
【０２０４】
付記１６に記載の装飾方法によれば、外部環境に関連する検出対象を検出し、検出された検出対象に基づいて、造形手段の位置を変更することにより、例えば、外部環境による影響（例えば、日射や風雨等の任意の影響）を把握した上で造形手段の位置を変更することができるので、外部環境による影響を適切に調整する事が可能となる。
【符号の説明】
【０２０５】
１  装飾構造
１Ａ  装飾構造
２  装飾構造
４  装飾構造
５  装飾構造
６  装飾構造
７  装飾構造
８  装飾構造
１１  支持機構
１２  造形物
１２Ａ  造形物
２１  支持機構
２１Ａ  支持機構
２２  造形物
３１  装飾装置
３１Ａ  装飾装置
３２  装飾装置
３３  装飾装置
３３Ａ  装飾装置
４１  支持機構
４２  造形物
５１  支持機構
５２  造形物
６１  支持機構
６２  第１造形物
６３  第２造形物
７１  支持機構
７２  造形物
８１  支持機構
８２  造形物
９１  建築物
９２  建築物
９２Ａ  建築物
９３  建築物
９４  建築物
９５  建築物
９６  建築物
９７  建築物
９７Ａ  建築物
２１１  凹部
３１１  ヘッド部
３２１  上下方向移動機構
３３１  移動用ワイヤ
３３１Ａ  移動用ワイヤ
３１１Ｂ  吐出物
３３２  移動用ワイヤ操作機構
３３２Ａ  移動用ワイヤ操作機構
４１１  第１支持部
４１２  第２支持部
４２１  第１端部
４２２  第２端部
４２３  本体部
４２４  取付孔
５１１  第１支持部
５１２  第２支持部
６２１  上側係合部
６２２  下側係合部
６２３  建物側係合部
６３１  上側係合部
６３２  下側係合部
９７１  造形物搬出口
【図１】
2020002762.tif 000003
【図２】
2020002762.tif 000004
【図３】
2020002762.tif 000005
【図４】
2020002762.tif 000006
【図５】
2020002762.tif 000007
【図６】
2020002762.tif 000008
【図７】
2020002762.tif 000009
【図８】
2020002762.tif 000010
【図９】
2020002762.tif 000011
【図１０】
2020002762.tif 000012
【図１１】
2020002762.tif 000013